(57)【要約】  【課題】  機器に実装される電気部品のリード線と、それら電気部品に対する給電線等が束ねられ、所定のルートに沿って配置されたハーネスから分岐した複数の配線とを速やか且つ正確に接続可能な配線係止具及び配線方法を提供する。  【解決手段】  配線を係止する係止部３が形成された配線保持体２と、前記配線保持体２を支持部材に立設する取付部４と、前記係止部３に配線が係止された状態で前記配線保持体２をその縦軸心周りに回転させて前記配線の余長を調節する配線係止具１を用いる。  【選択図】  図１
2007068238.tif 000002
【特許請求の範囲】
【請求項１】
配線を係止する係止部が形成された配線保持体と、前記配線保持体を支持部材に立設する取付部と、前記係止部に配線が係止された状態で前記配線保持体をその縦軸心周りに回転させて前記配線の余長を調節する配線係止具。
【請求項２】
所定のルートに沿って配置されたハーネスから夫々分岐して引き出された複数の配線に設けられた第一のコネクタの一つと、機器に設置された複数の電気部品の配線に設けられた第二のコネクタの一つが所定の接続位置で唯一に接続されるように、前記所定の接続位置に請求項１記載の配線係止具を支持部材に立設し、前記第一または第二のコネクタの配線の余長を前記配線係止具により調整する配線方法。
【請求項３】
前記所定の接続位置が、前記ハーネスの配置ルートに沿った前記第一のコネクタの配線の分岐位置の近傍に設定され、前記配線係止具に前記第二のコネクタが位置決めされている請求項２記載の配線方法。
【発明の詳細な説明】
【技術分野】
【０００１】
本発明は、複写機等の電子機器に組み込まれたモータやクラッチ等の電気部品のリード線と、複数の給電線または制御信号線が束ねられ、所定のルートに沿って配置されたハーネスから分岐した配線とを接続する際に用いられる配線係止具及び配線方法に関する。
【背景技術】
【０００２】
従来、ハーネスとハーネス間を接続するために、検査装置に接続される複数本の電線を束ねた装置側ハーネスと、検査対象製品に接続される複数本の電線を束ねた製品側ハーネスとから成り、前記装置側ハーネスに具備された複数個のコネクタと、前記製品側ハーネスに具備された複数個のコネクタとを接続する際に、各コネクタ同士の誤接続を防止する誤接続防止用ハーネスであって、前記装置側ハーネスと前記製品側ハーネスは、両コネクタに各々接続されている電線の長さが複数個のコネクタ毎にそれぞれ異なる長さに設けられている誤接続防止用ハーネスが提案されている。
【０００３】
上述の従来技術は、接続する対のコネクタを間違えると、コネクタ同士が届かない状態となるか、あるいは電線に撓みが生じるため、その状態によりコネクタ同士の誤接続であることが判断できるものであり、複数組みのコネクタ同士が全て接続できる状態であれば、コネクタ同士の誤接続はなく、全てのコネクタ同士が適正に接続されていると判断できるものである。
【特許文献１】特開平１１−１４４８０７号公報
【発明の開示】
【発明が解決しようとする課題】
【０００４】
しかし、上述したように複写機等の電子機器に組み込まれたモータやクラッチ等の複数の電気部品の各リード線と、複数の給電線または制御信号線が束ねられ、所定のルートに沿って配置されたハーネスから分岐した複数の配線とを接続する場合には、ハーネスの配置ルートと実装される電気部品夫々の位置が様々に異なり、ハーネス側と電気部品側の夫々のコネクタに接続されている配線の長さを誤接続が無いように異なる長さに調節することは非常に困難であった。
【０００５】
例えば、モータやクラッチは複数の機種に共通して用いられる場合も多く、またリード線の長さには相当のばらつきがあり、これらを管理するとコストの上昇につながるという問題があり、また、コネクタの形状やピンの数が共通な複数の電機部品が機器の特定のエリアに密集して実装される場合には、ハーネスから分岐した複数の配線との間で誤接続の危険性が増し、注意深く接続作業を進めなければならないという問題があった。
【０００６】
本発明の目的は、上述の問題に鑑み、機器に実装される電気部品のリード線と、それら電気部品に対する給電線または信号線が束ねられ、所定のルートに沿って配置されたハーネスから分岐した複数の配線とを速やか且つ正確に接続可能な配線係止具及び配線方法を提供する点にある。
【課題を解決するための手段】
【０００７】
上述の目的を達成するため、本発明による配線係止具の特徴構成は、特許請求の範囲の書類の請求項１に記載した通り、配線を係止する係止部が形成された配線保持体と、前記配線保持体を支持部材に立設する取付部と、前記係止部に配線が係止された状態で前記配線保持体をその縦軸心周りに回転させて前記配線の余長を調節する点にある。
【０００８】
上述の構成によれば、支持部に立設された配線保持体の係止部に配線を係止した後に前記配線支持体をその縦軸心周りに回転操作することにより余長配線が前記配線支持体に巻回され、前記配線の先端に取り付けられたコネクタが前記配線支持体の近傍位置に固定できるようになるので、配線長が長くともそのコネクタ位置を一定の位置に保持することができるようになり、例えば、他の配線のコネクトとも正確に接続できるようになる。
【０００９】
本発明による配線方法の特徴構成は、同請求項２に記載した通り、所定のルートに沿って配置されたハーネスから夫々分岐して引き出された複数の配線に設けられた第一のコネクタの一つと、機器に設置された複数の電気部品の配線に設けられた第二のコネクタの一つが所定の接続位置で唯一に接続されるように、前記所定の接続位置に請求項１記載の配線係止具を支持部材に立設し、前記第一または第二のコネクタの配線の余長を前記配線係止具により調整する点にある。
【００１０】
上述した構成によれば、ハーネスから分岐して引き出された配線に設けられた第一のコネクタと、その第一のコネクタに接続される第二のコネクタの組合せが複数ある場合であっても、第一または第二のコネクタのうちの何れか一方のコネクタが配線係止具により他方のコネクタと唯一に接続可能な所定の接続位置に夫々位置規制されるので、そのような接続位置に位置規制された第一または第二のコネクタと接続可能な第二または第一のコネクタを容易に特定することができる。従って、複数の第一のコネクタと複数の第二のコネクタを接続するに際して誤接続の発生を未然に防止することができるのである。
【００１１】
同第二の特徴構成は、同請求項３に記載した通り、上述の特徴構成に加えて、前記所定の接続位置が、前記ハーネスの配置ルートに沿った前記第一のコネクタの配線の分岐位置の近傍に設定され、前記配線係止具に前記第二のコネクタが位置決めされている点にある。
【００１２】
上述の特徴構成によれば、電気部品を機器に設置する際に、そのリード線である配線の第二のコネクタが、ハーネスの配置ルートに沿った前記第一のコネクタの配線の分岐位置の近傍に前記配線係止具により位置決めされると、ハーネスが設置されたときにそのハーネスから分岐して引き出される配線のうち、当該第二の配線のコネクタに接続可能な第一のコネクタが唯一に決まり、そのようなコネクタの接続位置も前記ハーネスの設置ルートに沿って設定されているので、接続洩れも効果的に回避することができるようになる。
【発明の効果】
【００１３】
以上説明した通り、本発明によれば、機器に実装される電気部品のリード線と、それら電気部品に対する給電線または信号線が束ねられ、所定のルートに沿って配置されたハーネスから分岐した複数の配線とを速やか且つ正確に接続可能な配線係止具及び配線方法を提供することができるようになった。
【発明を実施するための最良の形態】
【００１４】
以下に本発明による配線係止具及び配線方法の実施の形態を説明する。
【００１５】
図１に示すように、配線係止具１は、配線Ｌを係止する係止部３が形成された配線保持体２と、前記配線保持体２を支持部材Ｂに立設する取付部４と、前記係止部３に配線Ｌが係止された状態で前記配線保持体２をその縦軸心Ｐ周りに回転させて前記配線Ｌの余長を調節するように構成されている。
【００１６】
前記配線保持体２は、断面円形の柱状体の樹脂成型品で構成され、前記係止部３が、その腹部に形成された配線の径より僅かに大なる幅のスリット３１と、前記スリット３１の奥行き側に形成された円形の係止孔３２で構成されている。
【００１７】
前記取付部４は、前記配線保持体２の下部に埋設された前記配線保持体２の径よりも小径のネジ部４１で構成され、機器のフレームやフレーム間に設けられた板金を支持部６として、当該支持部６に形成されたネジ孔６１に前記ネジ部４１を螺合させることにより、前記配線保持体２が前記支持部６に立設される。詳述すると、前記配線保持体２の平坦な頂部には溝部２１が形成され、当該溝部２１をマイナスドライバーで回転操作することにより前記支持部６に螺着されるように構成されている。
【００１８】
従って、図２（ａ）に示すように、前記ネジ孔６１に前記ネジ部４１をある程度螺合させた状態で、同図（ｂ）に示すように、配線ＬのコネクタＣＮ側の近傍を前記スリット３１から前記係止孔３２に押込み、同図（ｃ）に示すように、前記配線保持体２を回転させることにより、前記配線Ｌが前記配線保持体２の胴部に巻回され、前記コネクタＣＮが前記配線係止具１の近傍に位置決めされる。
【００１９】
上述した配線係止具１の形状やサイズは特に限定されるものではなく、実装される電気部品の配線太さや長さ等に応じて適宜設定することができる。また、係止部３がスリット３１と係止孔３２で構成されるものを説明したが、図３に示すように、前記配線保持体２の胴部に形成された水平姿勢の切欠き部３３で係止部３を構成するものであってもよい。また、図４に示すように、前記配線保持体２の胴部に形成された螺状の凹部３４により係止部３が構成されるものであってもよい。この場合には、配線Ｌが重ならないように前記螺状の凹部３４に沿って円滑に巻回されるようになる。
【００２０】
さらに、配線Ｌを配線保持体２に巻回した状態において、前記配線Ｌが前記配線保持体２の頂上部より上又は底部より下に位置することにより、前記配線Ｌが前記配線保持体２より解ける虞を防止するために、図５に示すように前記配線保持体２の頂上部及び底部に、前記配線保持体２の直径よりも大なる直径を有する、頂上部配線解防止部２２及び底部配線解防止部２３を備えた構成であってもよい。
【００２１】
上述した取付部４は、前記配線保持体２の下部に埋設されたネジ部４１で構成されるものを説明したが、配線Ｌの長さによっては、前記支持部６に完全に螺合させても余長を吸収しきれない場合もある。そのような場合に対応すべく、前記配線保持体２の胴部を上下に二分割し、下方の胴部２ａにネジ部４１を埋め込み、下方と上方の胴部２ａ、２ｂ間が一方向にのみ相対回転可能なラチェットギヤ機構７を介して両胴部２ａ、２ｂを接続するように構成してもよい。具体的には図６（ａ）に示すように、上方の胴部２ｂの下部を中空に形成し、下方の胴部２ａに埋め込まれたネジ部４１の先端に、前記胴部２ｂの中空部に収容されるようにラチェットギヤ５０を固定し、前記胴部２ｂの内周に一方向に揺動可能なストッパ５１を取り付けることにより実現できる。図６（ａ）において前記胴部２ａと前記胴部２ｂを接続した状態が図６（ｂ）である。また、図６の構成において、前記胴部２ａ、２ｂ間を両方向に相対回転可能とするために前記ストッパ５１の機能状態と解除状態の切換機能を持つスイッチ５２を設ける構成としてもよい。
【００２２】
前記取付部４をネジ部４１で構成するのに代えて、図７に示すように、前記支持部６に形成された嵌入孔６２に嵌入する際に前記嵌入孔６２の軸心方向に弾性変形し、嵌入後に元の姿勢に復帰して抜止めする係止片４２を前記配線保持体２の下部に形成するものであってもよい。この場合には、前記配線保持体２を自由に回転させることができる。また、前記配線保持体２の自由回転によって巻回した配線Ｌが解ける虞を防止するために、前記配線保持体２及び前記係止片４２において前記支持部６と接触する部分（網線部）に、摩擦力増大により前記配線保持体の回転を困難にするための細かな突起等である回転防止面４３ａ、４３ｂを備えた構成としてもよい。回転防止面４３ａ、４３ｂはどちらかのみを用いる構成、あるいは両方用いる構成としてもよい。
【００２３】
さらに、前記配線保持体２の材料としてフェライト等の金属塩で構成することにより電磁ノイズを低減させることも可能となる。
【００２４】
以下に、上述の配線係止具１を用いた配線方法について図８を用いて説明する。図８（ａ）は配線方法を説明するための構成を示す模式図であり、機器のフレームやフレーム間に設けられた板金である支持部材８５と、所定のルートに沿って配置されたハーネス８０と、前記ハーネス８０を構成する複数の配線の一つであって前記ハーネス８０から分岐して引き出されたハーネス側配線８１と、前記ハーネス側配線８１に設けられた第一のコネクタ８２ａと、機器に設置された複数の電気部品の一つである電気部品８３と、前記電気部品８３から引き出されたリード線８４と、前記リード線８４において前記電気部品８３の反対側の端に設けられており前記第一のコネクタ８２ａと接続することができる第二のコネクタ８２ｂで構成されている。また、前記第一のコネクタ８２ａと前記第二のコネクタ８２ｂが唯一に接続されるような位置空間を所定の接続位置８６として図示している。
【００２５】
図８（ａ）に示すように、前記リード線８４は、前期電気部品８３が前記所定の接続位置８６にて確実に接続可能とするために、その全長を前記電気部品８３と前記所定の接続位置８６との間の距離より長くとっていることから、前記所定の接続位置８６にて前記第一のコネクタ８２ａと前記第二のコネク８２ｂを接続すると、前記第二のコネクタ８２ｂに余長が生じる。
【００２６】
そこで、図８（ｂ）に示すように、配線係止具１を前記支持部材８５における前記所定の接続位置８６に立設した上で、図８（ｃ）に示すように、前記第二のコネクタ８２ｂが前記第一のコネクタ８２ａと唯一に接続される前記所定の接続位置８６に存在するように、第二のコネクタ８２ｂの余長を前記配線係止具１により調整する。
【００２７】
図８では、第二のコネクタ８２ｂの余長を配線係止具１により調整する配線方法について説明したが、第一のコネクタ８２ａの余長を配線係止具１により調整する配線方法であってもよい。また、第一のコネクタ８２ａと第二のコネクタ８２ｂの余長を１個のコネクタにつき１個の配線係止具１により調整する配線方法であってもよい。
【００２８】
以下に、上述の配線係止具１を用いて機器に配置された複数の電気部品を配線する方法について図９を用いて説明する。図９は配線方法を説明するための構成を示す模式図であり、機器のフレームやフレーム間に設けられた板金である支持部材９６と、前記支持部材９６に配置された複数の配線係止具１と、所定のルートに沿って配置された装置側ハーネス９０と、前記装置側ハーネス９０から分岐して引き出された配線群９１ａ、ｂ、ｃ、ｄと、前記配線群９１ａ、ｂ、ｃ、ｄに設けられた第一のコネクタ群９２ａ、ｂ、ｃ、ｄと、機器に設置された複数の電気部品群９３ａ、ｂ、ｃ、ｄと、前記電気部品群９３ａ、ｂ、ｃ、ｄから引き出されたリード線群９４ａ、ｂ、ｃ、ｄと、前記リード線群９４ａ、ｂ、ｃ、ｄにおいて前記電気部品群９３ａ、ｂ、ｃ、ｄの反対側の端に設けられており前記第一のコネクタ群９２ａ、ｂ、ｃ、ｄと接続することができる第二のコネクタ群９５ａ、ｂ、ｃ、ｄで構成されている。
【００２９】
図９に示すように、前記第一のコネクタ群９２ａ、ｂ、ｃ、ｄを分岐配置させた近傍に配線係止具１を配置して、その位置を所定の接続位置に設定する。設定した前記所定の接続位置において、前記第二のコネクタ群９５ａ、ｂ、ｃ、ｄが前記第一のコネクタ群９２ａ、ｂ、ｃ、ｄにそれぞれ唯一に接続可能となるように前記配線係止具１により位置調整する。
【００３０】
図９では、第二のコネクタ群９５ａ、ｂ、ｃ、ｄを配線係止具１により調整する配線方法について説明したが、第一のコネクタ群９２ａ、ｂ、ｃ、ｄを配線係止具１により調整する配線方法であってもよい。また、第一のコネクタ群９２ａ、ｂ、ｃ、ｄと第二のコネクタ群９５ａ、ｂ、ｃ、ｄを１個のコネクタにつき１個の配線係止具１により調整する配線方法であってもよい。
【００３１】
また、上述した配線方法では第一のコネクタ群９２ａ、ｂ、ｃ、ｄを分岐配置させた近傍を所定の接続位置に設定したが、第一のコネクタ群９２ａ、ｂ、ｃ、ｄを分岐配置させる前に、配線係止具１を等間隔に配置して、その近傍を所定の接続位置に設定する方法でもよい。また、前記配線係止具１の配置は等間隔以外であってもよい。
【００３２】
尚、上述した実施形態及び実施方法は、本発明の一例に過ぎず、本発明の作用効果を奏する範囲において各ブロックの具体的構成等を適宜変更設計できることはいうまでもない。
【図面の簡単な説明】
【００３３】
【図１】配線係止具の説明図
【図２】配線係止具を使用した配線余長調整の説明図
【図３】配線係止具の別実施形態で水平姿勢の切欠き部を設けたものの説明図
【図４】配線係止具の別実施形態で螺状の凹部を設けたものの説明図
【図５】配線係止具の別実施形態で配線解防止部を設けたものの説明図
【図６】配線係止具の別実施形態でラチェットギヤ機構を設けたものの説明図
【図７】配線係止具の別実施形態でネジ部に代わる係止片を設けたものの説明図
【図８】配線係止具を用いた配線方法についての説明図
【図９】配線係止具を用いて機器に配置された複数の電気部品を配線する方法についての説明図
【符号の説明】
【００３４】
１：配線係止具
２：配線保持体
３：係止部
４：取付部
８０：ハーネス
８２ａ：第一のコネクタ
８２ｂ：第二のコネクタ
８６：所定の接続位置
【図１】
2007068238.tif 000003
【図２】
2007068238.tif 000004
【図３】
2007068238.tif 000005
【図４】
2007068238.tif 000006
【図５】
2007068238.tif 000007
【図６】
2007068238.tif 000008
【図７】
2007068238.tif 000009
【図８】
2007068238.tif 000010
【図９】
2007068238.tif 000011